(57)【要約】【課題】複数の原稿を読取って得た被編集画像データについて、集約、両面印刷等編集して画像形成を行う際の移動量を被編集画像毎に独立して設定して、編集後の画像を適切なものにする。【解決手段】原稿の画像を画像読取り部により読取り、その読取った画像データを画像メモリに記憶し、画像読取り部から入力する画像データ又は画像メモリに記憶された画像データを入力して出力部により用紙に画像を形成し、画像データを編集する画像編集手段を有する画像形成装置に、読取られた複数の画像データを被編集データとして画像編集手段に入力し、その被編集データを編集して画像メモリに記憶させるときに、被編集データ毎に独立して画像編集パラメータを設定する編集パラメータ設定手段を設ける。【選択図】　　　図２
2004088152.tif 000002
【特許請求の範囲】
【請求項１】
原稿の画像を読取る画像読取手段と、該手段により読取られた画像データを記憶する画像データ記憶手段と、前記画像読取手段から入力する画像データ又は前記画像データ記憶手段に記憶された画像データを入力して用紙に画像を形成する手段と、画像データを編集して前記画像を形成する手段に入力する画像編集手段とを有する画像形成装置において、
前記画像読取手段により読取られた複数の画像データを被編集データとして前記画像編集手段に入力し、該画像編集手段により前記被編集データを編集して前記画像データ記憶手段に記憶させるときに、該被編集データ毎に独立して画像編集パラメータを設定する編集パラメータ設定手段を設けたことを特徴とする画像形成装置。
【請求項２】
原稿の画像を読取る画像読取手段と、該手段により読取られた画像データを記憶する画像データ記憶手段と、前記画像読取手段から入力する画像データ又は前記画像データ記憶手段に記憶された画像データを入力して用紙に画像を形成する手段と、画像データを編集して前記画像を形成する手段に入力する画像編集手段と、前記画像読取手段により読取られた画像データを前記画像を形成する手段に入力して、用紙の両面に画像を形成するための両面印刷機構とを有する画像形成装置において、
前記画像読取手段により読取られた複数の画像データを前記両面印刷機構により用紙の両面に画像を形成するための被両面印刷データとして前記画像編集手段に入力し、その被両面印刷データを該画像編集手段により編集して前記画像データ記憶手段に記憶させるときに、該被両面印刷データ毎に独立して画像編集パラメータを設定する編集パラメータ設定手段を設けたことを特徴とする画像形成装置。
【請求項３】
前記編集パラメータ設定手段が、用紙の裏面に形成する画像の位置を用紙の表面に形成する画像に対する相対位置で前記編集パラメータを設定することを特徴とする請求項２記載の画像形成装置。
【発明の詳細な説明】
【０００１】
【発明の属する技術分野】
この発明は、原稿を読取って得た複数の画像を編集して画像形成を行う際に、被編集画像ごとに独立して編集パラメータを設定する機能を搭載した画像形成装置に関する。
【０００２】
【従来の技術】
従来から、複写機等の電子写真方式を用いて画像を形成する画像形成装置においては、読取って得た画像データを集約して用紙に画像を形成したり、用紙の両面に画像形成を行うことができるものがある。また、用紙に形成する画像を原稿の画像と比較して任意の分だけ移動して画像形成を行えるものもある。この画像形成装置では、画像データを記憶手段に記憶させるときの書き込み、読出し位置を変えることにより、原稿の画像を回転させて画像を形成することができるものもあり、回転移動後の画像が利用者の期待通りになるようにしたものもある（例えば、特開平６−２９１９７９号公報）。この画像形成装置は、入力した画像の回転処理及び移動処理を行う画像処理手段を備え、その画像処理手段が入力画像の座標に基づいて処理を行うことにより、回転移動後の画像が利用者の期待通りになるようにしたものである。
【０００３】
【発明が解決しようとする課題】
しかし、この従来の画像形成装置では、画像の移動が原稿全体に対しての移動を意味し、原稿を読取って複数の画像データを得たときに、その画像ごとの移動については何ら言及されていなかった。そのため、読取って得た画像データを集約したり、ダブルコピーを行ったり、用紙の両面に画像を形成する場合等においては、必ずしも適切な画像が形成されるとは限らなかった。
【０００４】
この発明は、上記の問題点を解決するためになされたもので、画像の編集機能を備えた画像形成装置において、複数の原稿を読取って得た被編集画像データについて、集約、両面印刷等編集して画像形成を行う際の移動量を被編集画像毎に独立して設定して、編集後の画像を適切なものにすることを目的とする。
【０００５】
【課題を解決するための手段】
この発明は、上記の目的を達成するため、原稿の画像を読取る画像読取手段とその手段により読取られた画像データを記憶する画像データ記憶手段と、上記画像読取手段から入力する画像データ又は上記画像データ記憶手段に記憶された画像データを入力して用紙に画像を形成する手段と、画像データを編集して上記画像を形成する手段に入力する画像編集手段とを有する画像形成装置において、上記画像読取手段により読取られた複数の画像データを被編集データとして上記画像編集手段に入力し、その画像編集手段により上記被編集データを編集して上記画像データ記憶手段に記憶させるときに、その被編集データ毎に独立して画像編集パラメータを設定する編集パラメータ設定手段を設けたことを特徴とする。
また、この発明は、原稿の画像を読取る画像読取手段と、その手段により読取られた画像データを記憶する画像データ記憶手段と、上記画像読取手段から入力する画像データ又は上記画像データ記憶手段に記憶された画像データを入力して用紙に画像を形成する手段と、画像データを編集して上記画像を形成する手段に入力する画像編集手段と、上記画像読取手段により読取られた画像データを上記画像を形成する手段に入力して、用紙の両面に画像を形成するための両面印刷機構とを有する画像形成装置において、上記画像読取手段により読取られた複数の画像データを上記両面印刷機構により用紙の両面に画像を形成するための被両面印刷データとして上記画像編集手段に入力し、その被両面印刷データをその画像編集手段により編集して上記画像データ記憶手段に記憶させるときに、その被両面印刷データ毎に独立して画像編集パラメータを設定する編集パラメータ設定手段を設けた画像形成装置を提供する。
この画像形成装置は、編集パラメータ設定手段が、用紙の裏面に形成する画像の位置を用紙の表面に形成する画像に対する相対位置で上記編集パラメータを設定するようにするとよい。
【０００６】
【発明の実施の形態】
以下、この発明の実施の形態を図面に基づいて詳細に説明する。
図１は、この発明による画像形成装置の一例である複写機１０の内部の全体構成を示すブロック図である。複写機１０は画像読取り部１と、画像メモリ２と、編集加工部３とを有し、操作表示部４と、出力部５と、制御ユニット６と、用紙の両面に画像を形成するための両面印刷機構７とを有している。
画像読取り部１は、原稿の画像を読取る画像読取り手段であって、イメージスキャナによって構成されている。また、図示しない自動原稿給装装置（ＡｕｔｏＤｏｃｕｍｅｎｔ　Ｆｅｅｄｅｒ：ＡＤＦ）が作動してセットされた原稿を１枚づつ給装すると、その各原稿の画像を順次読取り画像データを出力する。なお、以下の説明では、複写機１０のＡＤＦは、シートスルータイプであるとする。
画像メモリ２は、画像読取り部１により読取られた原稿の画像データを記憶する画像データ記憶手段である。
【０００７】
編集加工部３は、画像読取り部１により読取られた原稿の画像データをユーザの指定に応じて適宜編集（原稿の倍率を変更して画像を形成するための変倍、複数の原稿を集約して画像を形成するための集約、原稿の不要な部分を除いて画像を形成するための消去、原稿と異なる箇所に画像を形成するための移動等）し、その編集後の画像データを出力部５に入力する画像編集手段である。この画像編集手段は、編集パラメータを被編集データ毎に独立して設定する編集パラメータ設定手段として作動する。
操作表示部４は、ユーザからの入力操作を受け付けてユーザに向けた表示を行う手段であって、所定のテンキー及び文字入力キーを備えたメカニカルキーやタッチパネルキーなどからなる操作キーを有するとともに、その操作キーから操作入力される情報や複写機１０の動作状態及び時刻等を表示する液晶ディスプレイ（ＬＣＤ）等の表示装置を有している。操作キーとしては、テンキー、複写動作を開始させるスタートキー、停止させるストップキーなどがある。
出力部５は、画像読取り部１又は画像メモリ２から画像データを入力して用紙に画像を形成し、印刷するための機構を備えた手段であって、白黒画像を形成する白黒プロッタ又はカラー画像を形成する１ドラムカラープロッタである。
【０００８】
制御ユニット６は、ＣＰＵ（Ｃｅｎｔｒａｌ　Ｐｒｏｃｅｓｓｉｎｇ　Ｕｎｉｔ：中央処理装置）及びＲＯＭ（Ｒｅａｄ　Ｏｎｌｙ　Ｍｅｍｏｒｙ）を有し、ＲＯＭに記憶されているプログラムにしたがいＣＰＵが作動して、複写機１０全体の動作制御と、描画動作を司り、編集加工部３による画像データの編集加工を制御する。
以上の構成を有する複写機１０は、画像読取り部１によって読取られた画像データが、特に移動、消去、変倍等の画像編集がユーザにより指定されていなければ、直接画像メモリ２に格納され、出力部５により用紙に画像形成が行われて出力される（印刷される）。一方、画像編集がユーザにより指定されている場合、例えば、等倍以外の変倍率が設定されて原稿と異なる倍率で画像を形成する場合や画像の移動、指定した部分の内側又は外側を消去する消去が設定されたりすると画像読取り部１によって読取られた原稿の画像データは編集加工部３により、ユーザの設定に応じて各種編集（加工）が施された上で画像メモリ２に格納され、その編集後の画像データが出力部５に入力されて、用紙に画像が形成される。複写機１０の概略の動作は以上のとおりである。
【０００９】
次に、複写機１０のこの発明の特徴とする動作内容について説明する。ここでは、ユーザが操作表示部４を操作して画像編集のモード（編集モード）として、「集約」を設定した場合について説明する。この「集約」を設定すると、原稿の複数の画像が集約され、用紙には集約後の画像（以下「集約画像」という）が形成される。この場合、複写機１０は図２に示すフローチャートにそって次のように作動する。なお、図２ではステップをＳと略記している。
まず、ユーザは、複数の原稿をＡＤＦにセットするとともに、操作表示部４を操作して集約画像を構成する第Ｎ面（以下の例では第１面、第２面）の画像移動位置を１つ設定する。ここでは、ユーザはＡ５サイズの原稿を２枚ＡＤＦにセットするとともに、画像移動位置として、左上、中上、右上、左中、中央、右中、左下、中下、右下の９つの中からそのいずれか１つを選択して設定し、Ａ３サイズの用紙に画像を形成するとする。なお、ユーザは、編集モードとして「集約」を設定する際に、２枚の原稿の片面画像を集約して１枚の用紙（転写紙）に集約する編集モード（２ｉｎ１モード）を設定し、集約画像を構成する第１、第２の画像移動位置をそれぞれ「右上」、「右下」に設定したとする。
そして、ユーザが操作表示部４のスタートキーを押下げすると、制御ユニット６がＡＤＦに指示して、セットされている原稿を１枚給装して処理をステップ１に進める。ステップ１では、給装された原稿の画像を画像読取り部１により読取り、続くステップ２では、読取った画像データを画像メモリ２に貼付ける向き（貼付け向き）を取得する。
【００１０】
ここで、図３（１）に示すように、用紙の縦方向に「Ｒ」の文字が描かれた原稿２０を読取るとすると、この原稿２０は、図３（２）の矢印で示す主走査方向と副走査方向に読込まれるため、圧板上では原稿２０と同じ向き（０度）となるが、ＡＤＦがシートスルータイプであるから、貼付け向きは反転して１８０度となる（図３（３）参照）。
次に、ステップ３に進み、ステップ２で求めた貼付け向きの条件と、ユーザの操作入力により設定された画像移動位置とをもとに、制御ユニット６が集約画像を形成する際の画像の移動があるか否かを判断して、画像の移動があればステップ４に進み、移動が無ければステップ５に進む。ここでは、画像の移動があるからステップ４に進み、表１に示す移動量算出テーブルをサーチして主走査移動量と副走査移動量を以下のようにして算出する。
この主走査移動量と副走査移動量は、表１に示すように、画像メモリ２への貼付け向き、すなわちメモリ画像方向（０度、９０度、１８０度、２７０度）と、画像移動位置（コーナリング位置）とから一義的に決まるようになっている。表１に示す移動量算出テーブルは、用紙の最適な位置に画像を形成するため、個々の画像を移動させる移動量を主走査、副走査方向それぞれについて算出するためのテーブルであって、その４×９＝３６個の各欄に「ＭＶ」で始まる３６通りの文字列が記載されていて、その１つ１つの文字列が主走査移動量と副走査移動量を算出するための画像移動パラメータとなっている。
【００１１】
上述のように、ユーザは、編集モードとして２ｉｎ１モードを設定するとともに、集約画像の第１、第２の画像移動位置をそれぞれ「右上」、「右下」に設定して、Ａ５サイズの原稿２枚をＡＤＦにセットし、Ａ３サイズの用紙に画像を形成するための設定を行っている。すると、画像形成を行う用紙サイズがＡ３であるため、画像メモリ２には、Ａ３サイズに対応した領域（以下この領域を「画像メモリ領域２２」という）が確保されている。その画像メモリ領域２２に対して原稿の第１の画像が貼付けられる際に、編集加工部３が以下の要領で画像移動パラメータを設定している。
このとき、原稿の画像は、シートスルータイプのＡＤＦの作動により読取られたため、図４に示すように、画像メモリ領域２２には１８０度反転した向きで貼付けられる。ただし、画像は画像メモリ領域２２の右半分に貼付けられる。この画像メモリ領域２２の右半分は、開始点の座標が（０，０）であり、その幅は、主走査方向の幅（主走査幅）が画像メモリ領域２２の主走査方向の幅（ｍｅｍ−ｘｗ）であり、副走査方向の幅（副走査幅）が画像メモリ領域２２の副走査方向の幅（ｍｅｍ−ｙｗ）の１／２（半分）の幅（副走査メモリ幅）となる。
【００１２】
そして、制御ユニット６が移動量算出テーブルをサーチして、貼付け向きが１８０度であり、第１の画像移動位置が「右上」であるとの条件から、画像移動パラメータが「ＭＶ　Ｘ１　Ｙ１」に設定される。ここで、この画像移動パラメータ「ＭＶ　Ｘ１　Ｙ１」は、次のような意味を有する。すなわち、図５に示すように、画像メモリ領域２２の主走査幅（ｍｅｍ−ｘｗ）から、読込んだ原稿（ここでは、Ａ５）の主走査画像サイズ（ｏｒｇ−ｘｗ）を引いたものを主走査移動量とし、副走査移動量は、画像メモリ領域２２の副走査メモリ幅（ｍｅｍ−ｙｗ／２）から原稿の副走査画像サイズ（ｏｒｇ−ｙｗ）を引いたものであることを意味している。すなわち、図５の主走査方向ａ，副走査方向ｂで示される大きさが画像移動量となる。以上のようにして主走査移動量と副走査移動量の算出が終わるとステップ５に進む。このステップ５では、処理している画像が集約の対象となる画像の最終画像か否かを判断する。
【００１３】
ここで、最終画像であればステップ７に進み、集約された画像の画像データを出力部５に入力して画像形成を行い、用紙に印刷する。最終画像でなければステップ６に進んで、ＡＤＦに原稿がセットされているか否かを判断し、セットされていればステップ１に戻り、セットされていなければステップ７に進む。上述の場合、集約数２に対し、画像を１つしか画像メモリ領域２２に貼付けていないため、ステップ６に進みＡＤＦに原稿がセットされているかどうかを判断する。すると、２枚目の原稿がＡＤＦにセットされているから、ステップ１に戻りその原稿を画像読取り部１で読取り、続くステップ２でその画像が原稿の第１の画像と同じく画像メモリ領域２２に１８０度の向きで貼付けられる。ただし、この画像は、第２の画像であるため、画像メモリ領域２２の左半分に貼付けられる。この画像メモリ領域２２の左半分は、開始点の座標が（０，ｍｅｍ−ｙｗ／２）であり、その幅は、主走査幅が画像メモリ領域２２の主走査方向の幅（ｍｅｍ−ｘｗ）であり、副走査幅が画像メモリ領域２２の副走査方向の幅（ｍｅｍ−ｙｗ）の１／２（半分）幅（副走査メモリ幅）となる。
【００１４】
そして、ステップ３に進んで制御ユニット６により、第１の画像と同様に画像の移動があるかどうかを判断する。この場合も、画像の移動があると判断されステップ４に進む。そして、ステップ４で、制御ユニット６が移動量算出テーブルをサーチして、貼付け向きが１８０度であり、第２の画像移動位置が「右下」であるとの条件から、画像移動パラメータが「ＭＶ　Ｘ０　Ｙ１」に設定される。この画像移動パラメータ「ＭＶ　Ｘ０　Ｙ１」は、次のような意味を有する。すなわち、図５に示すように、主走査移動量が０であり、副走査移動量が画像メモリ領域２２の副走査メモリ幅（ｍｅｍ−ｙｗ／２）から、原稿の副走査画像サイズ（ｏｒｇ−ｙｗ）を引いたものであることを意味している。
そして、ステップ５に進み集約の対象となる最終画像かどうかを判断するが、集約数２に対して第２の画像を画像メモリ２に貼付けたため、ステップ７に進んで、出力部５から集約画像（第１画像は右上、第２画像は右下に画像移動した画像）が用紙に形成されて印刷される。
【００１５】
このように、複写機１０は、集約前の被集約画像毎に独立して画像移動パラメータを設定することができるため、実際に集約面毎に画像移動した出力イメージを得ることができる。
次に、ユーザが操作表示部４を操作して画像編集として、「両面印刷」を設定した場合について説明する。この両面印刷を設定すると、原稿の複数の画像が用紙の両面に形成されて両面印刷が行われる。この場合、複写機１０は図６に示すフローチャートにそって次のように作動する。なお、図６ではステップをＳと略記している。以下の説明では、ユーザがＡＤＦにＡ５サイズの原稿を２枚セットして、Ａ４サイズの用紙の両面に画像を形成するとして説明する。
ユーザは、複数の原稿をＡＤＦにセットするとともに、操作表示部４を操作して、用紙の表面及び裏面の画像移動位置を１つ設定する。ここでも、画像移動位置は左上、中上、右上、左中、中央、右中、左下、中下、右下の９つの中からそのいずれか１つを選択して設定する。ここで、ユーザは用紙の表面が「右上」、裏面が「左上」になるように画像移動位置を設定したとする。
【００１６】
そして、ユーザが操作表示部４のスタートキーを押下げすると、制御ユニット６がＡＤＦに指示して、セットされている原稿を１枚給装して処理をステップ１に進める。ステップ１では、給装された原稿の画像を画像読取り部１により読取り、続くステップ２では、読取った画像データの貼付け向きを取得する。ＡＤＦがシートスルータイプであるから、貼付け向きは１８０度となる（図７の（１）の破線部参照）。
次に、ステップ３に進み、ステップ２で求めた貼付け向きの条件と、ユーザによる操作表示部４の操作入力により設定された画像移動位置とをもとに、制御ユニット６が画像の移動があるか否かを判断して、画像の移動があればステップ４に進み、移動が無ければステップ８に進む。ここでは、画像の移動があるからステップ４に進み、表１に示す移動量算出テーブルをサーチして主走査移動量と副走査移動量を以下のようにして算出する。
【００１７】
制御ユニット６が移動量算出テーブルをサーチするとき、貼付け向きが１８０度であり、用紙表面は「右上」であるとの条件から、画像移動パラメータが「ＭＶ　Ｘ１　Ｙ１」に設定される。ここで、この画像移動パラメータ「ＭＶ　Ｘ１Ｙ１」は、次のような意味を有する。図７（１）に示すように、画像メモリ領域２２の主走査幅（ｍｅｍ−ｘｗ）から、原稿の主走査画像サイズ（ｏｒｇ−ｘｗ）を引いたものを主走査移動量とし、副走査移動量は、画像メモリ領域２２の副走査メモリ幅（ｍｅｍ−ｙｗ）から原稿の副走査画像サイズ（ｏｒｇ−ｙｗ）を引いたものであることを意味している。すなわち、図７（１）の主走査方向ａ，副走査方向ｂで示される大きさが画像移動量となる。以上のようにして主走査移動量と副走査移動量の算出が終わるとステップ８に進む。このステップ８では、画像メモリ領域２２に貼付けた画像が用紙裏面の画像（裏面画像）になるか否かを判断する。裏面画像になる場合はステップ７に進み、そうでない場合はステップ６に進む。
【００１８】
ここでは、１枚目の用紙の画像であり、用紙表面の画像（表面画像）となるから、ステップ６に進みＡＤＦに原稿がセットされているかどうかを判断する。すると、２枚目の原稿がＡＤＦにセットされているからステップ１に戻りその原稿を画像読取り１で読取り、続くステップ２でその画像が１枚目の原稿の画像と同じく画像メモリ領域２２に１８０度の向きで貼付けられる（図７の（２）の破線部参照）。そして、このメモリ上の画像は２番目の画像であるため、用紙裏面にその画像が形成される。
続いてステップ３に進むと、上述のとおり裏面には「左上」への画像移動があるためステップ４へ進む。すると、制御ユニット６が移動量算出テーブルをサーチして、貼付け向きが１８０度であり、「左上」への画像移動があることから、画像移動パラメータが「ＭＶ　Ｘ１　Ｙ０」に設定される。この画像移動パラメータ「ＭＶ　Ｘ１　Ｙ０」は次のような意味を有する。図７（２）に示すように、画像メモリ領域２２の主走査幅（ｍｅｍ−ｘｗ）から、原稿の主走査画像サイズ（ｏｒｇ−ｘｗ）を引いたものを主走査移動量とし、副走査移動量は０とすることを意味している。すなわち、図７（２）の主走査方向ａで示される大きさが画像移動量となる。以上のようにして主走査移動量と副走査移動量の算出を終えてステップ８に進むと、裏面画像か否かを判断するが、裏面画像であるから、ステップ７に進み、制御ユニット６の指示により両面印刷機構７が作動しつつ両面の表面及び裏面に、それぞれ表面画像及び裏面画像が形成されて、印刷される。
【００１９】
このように、複合機１０は、両面印刷しようとする表面、裏面毎に独立して画像移動パラメータを設定することができるため、実際に表面、裏面ごと独立して画像を移動した出力イメージを得ることができる。
上述の説明では、両面表面、裏面それぞれについて、ユーザが移動位置を指定するが、これによれば以下のようなことが想定される。例えば、表面の画像を左上に移動させて、裏面をその背面に印刷したい場合、図８に示すように、（１）の両面の左右開きと（２）の上下開きで指定すべき移動位置が異なる。左右開きの仕上がりを出力しようとすると、裏面の移動位置はメモリ上の「右上」になる。一方、上下開きの仕上がりを出力しようとすると、裏面の移動位置は「左下」となる。このことを踏まえると、ユーザが裏面の適切な移動位置を指定するのは困難であるので、図１２に示すように、操作表示部４の操作画面に指定画面１４を表示して、ユーザがその表面位置指定キー１４１を操作して表面の移動位置を指定するとともに、背面キー１４２を操作して裏面の移動位置を表面に対しての相対位置で指定し得るように、指定画面１４の指定に応じて画像移動パラメータを設定するとよい、表２は、表面の移動位置とともに、裏面の相対移動位置を両面開きの方向別に示す裏面移動位置テーブルである。ユーザの指定に応じてこの裏面移動位置テーブルをサーチして設定した画像移動パラメータにしたがい裏面を移動することにより、用紙の出力イメージで表面のちょうど背面に裏面の画像が形成されるようになる。
【００２０】
また、図９に示すように表面を左上に移動させた場合で、裏面をその中心点対称の位置に印刷したい場合も、（１）の両面の左右開きと、（２）の上下開きとでは指定すべき移動位置が異なる。この場合も、図１２に示す指定画面１４から、その表面位置指定キー１４１を操作して表面の移動位置を「左上」に設定し、裏面の移動位置は、中心点対称キー１４３を選択して入力することにより、表２に示す裏面移動位置テーブルにしたがい画像移動パラメータを設定して、左右開きの場合は「左下」で、上下開きの場合は「右上」になるようにして、両面印刷により出力したときに、裏面の画像が表面の中心点対称の位置に形成されるようにするとよい。
さらに、表面を左上に移動させて裏面をその主走査線対称の位置に印刷したい場合には、図１０に示すように、（１）の両面の左右開きと、（２）の上下開きとでは指定すべき移動位置が異なる。この場合も、指定画面１４から、その表面位置指定キー１４１を操作して表面の移動位置を「左上」に設定し、裏面の移動位置は主走査線対称キー１４４を選択して入力することにより、裏面移動位置テーブルにしたがい画像移動パラメータを設定して、裏面の移動位置は、左右開きの場合は「右下」、上下開きの場合は「左上」になるようにして、両面印刷により出力したときに、裏面の画像が表面の主走査線対称の位置に形成されるようにするとよい。
【００２１】
また、表面を左上に移動させて裏面をその副走査線対称の位置に印刷したい場合には、図１１のように、（１）両面の左右開きと、（２）の上下開きとでは指定すべき移動位置が異なる。この場合も、指定画面１４から、その表面位置指定キー１４１を操作して表面の移動位置を「左上」に設定し、裏面の移動位置は、副走査線対称キー１４５を選択して入力することにより、裏面移動位置テーブルにしたがい画像移動パラメータを設定して、左右開きの場合は「左上」、上下開きの場合は「右下」になるようにして、両面印刷により出力したときに、裏面の画像が表面の副走査線対称の位置に形成されるようにするとよい。
このように、複写機１０は、表面の移動位置を指定する表面位置指定キー１４１と、裏面の表面に対する相対移動位置（背面、中心点対称、主走査線対称、副走査線対称）を指定するキーを設定した指定画面１４を設けている場合には、両面印刷で画像移動をして、表面と裏面の画像を関連づけた位置（背面、中心点対称、主走査線対称、副走査線対称）に形成したい場合でも、ユーザが開き方向や裏面の画像の移動位置を考慮することなく、所望の両面出力イメージを得ることができる。
【００２２】
【表１】
2004088152.tif 000003
【００２３】
【表２】
2004088152.tif 000004
【００２４】
【発明の効果】
以上説明してきたように、この発明によれば、複数の原稿を読取って得た被編集画像データについて、集約、両面印刷等編集して画像形成を行った際の編集後の画像が適切なものとなる。
【図面の簡単な説明】
【図１】この発明による画像形成装置の一例である複写機の内部の全体構成を示すブロック図である。
【図２】図１に示す複写機の特徴とする動作内容の手順を示すフローチャートである。
【図３】（１）は原稿、（２）は圧板上の画像、（３）はシートスルータイプのＡＤＦで読取った画像のメモリ上の位置及び向きを示す図である。
【図４】シートスルータイプのＡＤＦで読取った画像をメモリに貼付けた状態を示す図である。
【図５】集約画像の主走査移動量と副走査移動量を示す図である。
【図６】図１に示す複写機の特徴とする別の動作内容の手順を示すフローチャートである。
【図７】（１）は表面の画像のメモリに貼付けた状態を示す図であり、（２）は裏面の画像のメモリに貼付けた状態を示す図である。
【図８】両面開き方向によるメモリ上の画像貼付け位置の相違を示す図で、（１）は左右開き、（２）は上下開きを示す図である。
【図９】両面開き方向によるメモリ上の画像貼付け位置の相違を示す別の図で、（１）は左右開き、（２）は上下開きを示す図である。
【図１０】両面開き方向によるメモリ上の画像貼付け位置の相違を示すさらに別の図で、（１）は左右開き、（２）は上下開きを示す図である。
【図１１】両面開き方向によるメモリ上の画像貼付け位置の相違を示すさらにまた別の図で、（１）は左右開き、（２）は上下開きを示す図である。
【図１２】指定画面のレイアウトの一例を示す図である。
【符号の説明】
１：画像読取り部　　　　　　　　　２：画像メモリ
３：編集加工部　　　　　　　　　　４：操作表示部
５：出力部　　　　　　　　　　　６：制御ユニット
７：両面印刷機構　　　　　　　　　　１０：複写機
２０：原稿　　　　　　　　　２２：画像メモリ領域
１４：指定画面
【図１】
2004088152.tif 000005
【図２】
2004088152.tif 000006
【図３】
2004088152.tif 000007
【図４】
2004088152.tif 000008
【図５】
2004088152.tif 000009
【図６】
2004088152.tif 000010
【図７】
2004088152.tif 000011
【図８】
2004088152.tif 000012
【図９】
2004088152.tif 000013
【図１０】
2004088152.tif 000014
【図１１】
2004088152.tif 000015
【図１２】
2004088152.tif 000016